(57)【要約】  【課題】特に複数の作業者が互いに連絡を取り合うことが多い職種及び個人が集中して作業を行うことが多い職種の双方が存在する会社等において、部材の過不足を引き起こすことなく、それぞれの職種に好適な構成の家具を用意できるようにする。  【解決手段】天板１と、天板１の長手寸法と略同一の長手寸法を有し第１結合機構４を介して天板１の一辺部分を選択的に支持する天板支持要素２とを具備する構成を有する家具Ｆを用いる。  【選択図】図７
2006204771.tif 000002
【特許請求の範囲】
【請求項１】
天板と、結合機構を介して少なくとも天板の一辺部分を選択的に支持する天板支持要素とを具備することを特徴とする家具。
【請求項２】
天板と、天板の長手寸法と略同一の長手寸法を有し結合機構を介して少なくとも天板の一辺部分を選択的に支持する天板支持要素とを具備することを特徴とする家具。
【請求項３】
前記天板が、幅寸法を奥行き寸法より大きくした略長方形状をなし、該天板の幅寸法を１モジュールとした場合に、前記１モジュールを１辺とする正方形の領域である単位モジュール領域内に前記天板及び前記天板支持要素の略全体を配することができるようにしたことを特徴とする請求項２記載の家具。
【請求項４】
前記単位モジュール領域の１辺に沿って前記天板支持要素と該天板支持要素に長辺部分を支持させた前記天板とを配置する態様と、前記単位モジュール領域の１辺に沿って前記天板支持要素を配置するとともに前記１辺に隣接する他の１辺に沿って該天板支持要素に短辺部分を支持させた前記天板を配置する態様とを選択的にとり得るように、前記結合機構を構成していることを特徴とする請求項３記載の家具。
【請求項５】
前記天板の２つの短辺の長さを異ならせているとともに、前記天板支持要素が、長さ寸法が大きい短辺部分及び長さ寸法が小さい短辺部分のいずれも支持可能となるように前記結合機構を構成していることを特徴とする請求項４記載の家具。
【請求項６】
前記天板の両板面を、天板面として使用可能にしていることを特徴とする請求項４又は５記載の家具。
【請求項７】
前記天板支持要素を、床面上に起立させる１対の支柱及び前記支柱の上端部間を接続し前記天板を支持する横架材を有し幅寸法が前記１モジュールであるフレームを具備するものにしていることを特徴とする請求項３、４、５又は６記載の家具。
【請求項８】
前記天板支持要素に、前記フレームの前方に取り付けられ物品を収納可能な物品収納空間を有し幅寸法が前記１モジュールである物品収納体を具備させていることを特徴とする請求項７記載の家具。
【請求項９】
前記天板支持要素を、物品を収納可能な物品収納空間を有し幅寸法が前記１モジュールである物品収納体を具備するものにしていることを特徴とする請求項３、４、５又は６記載の家具。
【請求項１０】
前記物品収納体を、２分の１モジュールの幅寸法を有しそれぞれ略同一の基本構造を有する半モジュール構造体を長手方向に２つ並列させて構成していることを特徴とする請求項８又は９記載の家具。
【請求項１１】
前記物品収納体に、前記半モジュール構造体のうちいずれか一方の前記物品収納空間の上方及び前方を選択的に閉塞可能な扉を設けていることを特徴とする請求項１０記載の家具。
【発明の詳細な説明】
【技術分野】
【０００１】
本発明は、主としてオフィス等に用いられ、天板を天板支持要素に支持させてなる家具に関する。
【背景技術】
【０００２】
近時、オフィス等において、長尺のテーブルを設置し、特定の席を定めないオフィスレイアウトが考えられている。このようなオフィスレイアウトは、特に複数の作業者が互いに連絡を取り合うことが多い職種の職場に有効である。（例えば、特許文献１参照。）
一方、オフィス等を正方形状のモジュールに区画するとともに、このモジュール内に平面視Ｌ字状をなす天板を配置し、この天板に向かって着座するオフィスレイアウトも考えられている。このようなオフィスレイアウトは、個人が集中して作業を行うことが多い職種の職場に有効である。（例えば、特許文献２参照。）
【特許文献１】特開２００４−１４７６８９号公報
【特許文献２】特開２００１−３４９０７０号公報
【発明の開示】
【発明が解決しようとする課題】
【０００３】
しかして、特に複数の作業者が互いに連絡を取り合うことが多い職種及び個人が集中して作業を行うことが多い職種の双方が存在する会社等において、前者の職種に特許文献１記載の家具、後者の職種に特許文献２記載の家具を用意すると、職種間の異動を行った際に家具の過不足が生じることがある。この不具合を解消すべく、同一の家具により複数の作業者が互いに連絡を取り合うことが多い職種及び個人が集中して作業を行うことが多い職種の双方に対応可能な家具が要望されている。
【０００４】
本発明は、このような課題を解決すべく構成するものである。
【課題を解決するための手段】
【０００５】
すなわち、本発明に係る一つの家具は、天板と、結合機構を介して少なくとも天板の一辺部分を選択的に支持する天板支持要素とを具備することを特徴とする。
【０００６】
このようなものであれば、天板支持要素を必要箇所に設け、天板を人数分用意するだけで、天板の長手方向に沿って延びる辺を天板支持要素に長手方向を一致させた状態で支持させて複数の作業者が互いに連絡を取り合うことが多い職種の職場に好適な構成にでき、また、天板の他の辺を天板支持要素に支持させて個人が集中して作業を行うことが多い職種の職場に好適な構成にできるので、部材の過不足を生じることなくそれぞれの職種に好適な作業空間を人数分確保できる。
【０００７】
また、本発明に係る他の家具は、天板と、天板の長手寸法と略同一の長手寸法を有し結合機構を介して少なくとも天板の一辺部分を選択的に支持する天板支持要素とを具備することを特徴とする。
【０００８】
このようなものであれば、天板及び天板支持要素を人数分用意するだけで、天板の長手方向に沿って延びる辺を天板支持要素に長手方向を一致させた状態で支持させて複数の作業者が互いに連絡を取り合うことが多い職種の職場に好適な構成にでき、また、天板の他の辺を天板支持要素に支持させて個人が集中して作業を行うことが多い職種の職場に好適な構成にできるので、部材の過不足を生じることなくそれぞれの職種に好適な作業空間を人数分確保できる。
【０００９】
また、このような家具の配置をより容易に行えるようにするための態様として、前記天板が、幅寸法を奥行き寸法より大きくした略長方形状をなし、該天板の幅寸法を１モジュールとした場合に、前記１モジュールを１辺とする正方形の領域である単位モジュール領域内に前記天板及び前記天板支持要素の略全体を配することができるようにしたものが挙げられる。このようなものであれば、前記単位モジュール領域を１人ごとに確保することにより各人に必要な領域を確保できる。
【００１０】
さらに、部材の過不足なくかつ領域を確保した上でそれぞれの職種に好適な作業空間を決定できるようにするための態様として、前記単位モジュール領域の１辺に沿って前記天板支持要素と該天板支持要素に長辺部分を支持させた前記天板とを配置する態様と、前記単位モジュール領域の１辺に沿って前記天板支持要素を配置するとともに前記１辺に隣接する他の１辺に沿って該天板支持要素に短辺部分を支持させた前記天板を配置する態様とを選択的にとり得るように、前記結合機構を構成しているものが挙げられる。このようなものであれば、１人に付き天板及び天板支持要素を１つずつ用意するとともに単位モジュール領域を１つ確保し、単位モジュール領域内における天板及び天板支持要素の配置に、複数の作業者が互いに連絡を取り合うことが多い職種では前者の態様、集中して作業を行うことを重視する職種では後者の態様を採用できるからである。
【００１１】
より多様な使用態様を実現できるようにするための態様として、前記天板の２つの短辺の長さを異ならせているとともに、前記天板支持要素が、長さ寸法が大きい短辺部分及び長さ寸法が小さい短辺部分のいずれも支持可能となるように前記結合機構を構成しているものが挙げられる。このようなものであれば、前段で述べた前記天板の短辺を支持させる態様において、長さ寸法が大きい短辺部分を天板支持要素に支持させてより集中して作業を行えるようにする態様と、長さ寸法が小さい短辺部分を天板支持要素に支持させてコミュニケーションをとるためのスペースを確保できる態様とを選択できるからである。
【００１２】
さらに多様な使用態様を実現できるようにするための態様として、前記天板の両板面を、天板面として使用可能にしているものが挙げられる。このようなものであれば、両板面の外観を異ならせて外観にバラエティを備えさせることができるからである。また、前記天板の２つの短辺の長さが異なるとともに、前記結合機構が、長さ寸法が大きい短辺部分及び長さ寸法が小さい短辺部分のいずれも支持可能である態様においては、このような天板を天板支持要素のどちらの辺に沿って配置する場合であっても、長さ寸法が大きい短辺部分及び長さ寸法が小さい短辺部分のいずれかを選択的に支持させることができるようになる。
【００１３】
このような家具を容易に実現できる態様として、前記天板支持要素を、床面上に起立させる１対の支柱及び前記支柱の上端部間を接続し前記天板を支持する横架材を有し幅寸法が前記１モジュールであるフレームを具備するものにしているものが挙げられる。このようなものであれば、仮想的に設定した単位モジュール領域の１辺に沿ってこのフレームを配置することにより、このような家具の位置決めを行うことができる。
【００１４】
このような家具をさらに有効に利用できる態様として、前記天板支持要素に、前記フレームの前方に取り付けられ物品を収納可能な物品収納空間を有し幅寸法が前記１モジュールである物品収納体を具備させているものが挙げられる。
【００１５】
特に、前記物品収納体を、２分の１モジュールの幅寸法を有しそれぞれ略同一の基本構造を有する半モジュール構造体を長手方向に２つ並列させて構成しているものであれば、天板を前記単位モジュール領域における前記フレームを配置した辺に隣接するいずれの辺に沿って配置した場合であっても、他方の辺側の半モジュール構造体が上方に開放され、このような物品収納体を同様に利用できる。
【００１６】
さらに、前記物品収納体に、前記半モジュール構造体のうちいずれか一方の前記物品収納空間の上方及び前方を選択的に閉塞可能な扉を設けているものであれば、前記天板支持要素が天板の短辺を支持している際に、通常は前記扉を天板を配置した側に位置させておくことで、前記物品収納空間に収納する物品を、使用頻度の高い物品は天板下方ではない上方が開放された空間、使用頻度の低い物品は天板下方の空間に収納する等、使用頻度に応じた物品収納空間の使い分けを容易に行うことができる。
【発明の効果】
【００１７】
本発明に係る家具の構成を採用すれば、天板及び天板支持要素を人数分用意すれば、天板の長手方向に沿って延びる辺を天板支持要素に長手方向を一致させた状態で支持させて複数の作業者が互いに連絡を取り合うことが多い職種に好適な構成にし、また、天板の他の辺を天板支持要素に支持させて個人が集中して作業を行うことが多い職種に好適な構成にすることで、部材の過不足を生じることなくそれぞれの職種に好適な作業空間を人数分確保できる。
【発明を実施するための最良の形態】
【００１８】
以下、本発明の一実施形態を、図面を参照して説明する。
【００１９】
本発明に係る家具Ｆは、図１に全体斜視図、図２に平面図、図３に正面図、図４に分解斜視図をそれぞれ示すように、幅寸法が奥行き寸法よりも大きな略長方形状をなす天板１と、天板１の長手寸法と略同一の長手寸法を有し天板１の一辺部分を選択的に支持する天板支持要素２と、天板１の前記天板支持要素２に支持される辺と逆側の端縁を支持する脚３と、前記天板１と前記天板支持要素２との間に介在する第１結合機構４と、前記天板１と前記脚３との間に介在する第２結合機構５とを具備する。そして、前記天板１の幅寸法を１モジュールｍとした場合に、前記１モジュールｍを１辺とする正方形の領域である単位モジュール領域Ａ内に前記天板１及び前記天板支持要素２の略全体を配することができる。なお、前記図１〜図３には、前記天板１の長手方向に沿って延びる一辺部分である反使用端縁を天板支持要素２に支持させる態様である矩形態様を示している。
【００２０】
より具体的には、前記天板１は、本実施形態では、図示はしないが、板状をなす紙製の芯材と、この芯材の両面に配される化粧板とを具備し、平面視略長方形状をなす。また、この天板１の２つの短辺の長さ寸法を異ならせていて、長さ寸法が大きい短辺の長さ寸法を、２分の１モジュール１／２ｍとしている。そして、反使用端縁に沿って延びる長辺と２つの短辺とをそれぞれ直交させた形状としているとともに、使用端縁に沿って延びる長辺部分の両側端部も２つの短辺にそれぞれ直交させ、使用端縁に沿って延びる長辺部分の中間部は反使用端縁に対して角度を有する直線状にしている。なお、本実施形態では、隅部にＬ字状をなす金属芯材（図示略）を化粧板間に配している。さらに、この天板１の隅部の小口面には、第１天板支持部材４又は第２天板支持部材５を取り付けるための止着部を形成する雌ネジ穴１ｘを設けている。
【００２１】
前記天板支持要素２は、フレーム２１と、前記フレーム２１に支持され物品を収納可能な物品収納空間２ｓを有する物品収納体２２とを具備する。
【００２２】
前記フレーム２１は、左右両端に位置させるようにしているとともに床面から起立させる支柱２１１、２１１と、これら支柱２１１、２１１の上端間を接続する上横架材２１２と、前記支柱２１１、２１１の下端部間を接続する下横架材２１３と、幅方向中央に位置し、前記上横架材２１２及び前記下横架材２１３を接続する中接続材２１４とを具備する。また、このフレーム２１の幅寸法は前記１モジュールｍにしていて、このフレーム２１を単位モジュール領域Ａの１辺に沿って配置するようにしている。そして、このフレーム２１は左右対称な形状にしている。なお、このフレーム２１には、オプション部材として、幅寸法が２分の１モジュールであるパネル９を左半部又は右半部に選択的に取付可能にしている。また、このパネル９には、棚や小物置き等のオプション機能を付加することができ、さらに机上で使用するパソコンの配線受けを設けることもできる。
【００２３】
前記物品収納体２２は、床面から起立して前記フレーム２１に後部を支持させてなり下端部にアジャスタ２２１ａを有する左右１対の側板２２１、２２１と、前記フレーム２１に左右両端を支持させてなり前記物品収納空間２ｓの後面を形成する背板２２２と、前記側板２２１、２２１の下端部間を接続し前記物品収納空間２ｓの底面を形成する底板２２３と、前記底板２２３の下方に垂下して設けた巾板２２６と、前記物品収納空間２ｓのうち一部の上方及び前方を閉塞し、左右方向に移動可能な扉２２４とを具備する。この物品収納体２２の幅寸法も前記１モジュールｍとしている。さらに、前記物品収納空間２ｓの幅方向中央には仕切板２２５を起立させて設けていて、前記背板２２２及び前記底板２２３は、この仕切板２２５に対して対称な長方形状をなしているとともに、左右の側板２２１、２２１は同一の形状を有する。すなわち、この物品収納体２２は、２分の１モジュール１／２ｍの幅寸法を有する半モジュール構造体２２ｈを長手方向に２つ並列させた構造にしている。そして、前記扉２２４は、背板２２２の上方に位置しこの扉２２４の後端部を支持する上レールＲ１及び巾板２２６の前方に位置しこの扉２２４の下端部を支持する下レールＲ２によりスライド可能に支持されているとともに、２分の１モジュール１／２ｍの幅寸法を有する。すなわち、この扉２２４は、左右の半モジュール構造体２２ｈのうちいずれかの物品収納空間２ｓの上方及び前方を選択的に閉塞可能である。なお、前記扉２２４は、前記図２及び図３では想像線により示している。
【００２４】
前記脚３は、本実施形態では天板１の前記天板支持要素２に支持される辺と逆側に位置する隅部の下方に２本設けられて天板を支持する。また、本実施形態ではアルミ押出し成形により形成される脚本体３１と、この脚本体３１の下方に取り付けられるアジャスタ３２とを具備する。そして、この脚３の上端部には、前記第２結合機構５を介して天板１に取り付けるようにするための雌ネジ穴３ｘを設けている。
【００２５】
前記第１結合機構４は、図５に分解斜視図を示すように、平面視Ｌ字状に屈曲するとともに天板１の隅部を形成する複数の小口面に当接可能な起立板状の当接部４１ａ及びこの当接部４１ａの下端から延伸し上面に天板１を載置可能な天板受部４１ｂを有する天板受部材４１と、鉛直方向に延伸する形状をなしこの天板受部材４１の下方に取り付けられる第１接続部材４２と、奥行き方向に延伸する形状をなしてこの第１接続部材４２の側方に取り付けられ該第１接続部材４２と前記天板支持要素２とを接続する第２接続部材４３と、前記天板支持要素２のフレーム部２１の上横架材２１２の上面に左右方向に移動可能に設けられた雌ネジ部材４４とを具備する。
【００２６】
さらに詳述すると、前記天板受部４１ｂに雄ネジ部材Ｖ１を挿通可能な雄ネジ挿通孔４１ｙを設けていて、この雄ネジ挿通孔４１ｙを挿通させた雄ネジ部材Ｖ１を第１接続部材４２の上端の雌ネジ穴４２ｘに螺着して第１接続部材４２を天板受部材４１に固定するようにしている。また、前記第２接続部材４３には雄ネジ部材Ｖ２を左右方向に挿通可能な雄ネジ挿通孔４３ｘ、前記第１接続部材４２の側面には雌ネジ孔４２ｙを形成していて、前記雄ネジ挿通孔４３ｘを挿通させた雄ネジ部材Ｖ２を前記第１接続部材４２の側面の雌ネジ孔４２ｙに螺着して第２接続部材４３を第１接続部材４２に固定するようにしている。そして、第２接続部材４３の先端部に雄ネジ挿通孔４３ｙを設けているとともに、この雄ネジ挿通孔４３ｙを挿通させた雄ネジ部材Ｖ３を前記雌ネジ部材４４に螺着して第２接続部材４３を天板支持要素２に固定するようにしている。前記雌ねじ部材４４は、フレーム２１の上横架材２１２の上面に形成したスリット２１２ｓに、着脱可能に取り付けるようにしている。すなわち、この第１結合機構４は、天板１を天板支持要素２に支持させる際に天板支持要素２が天板１を支持する部位を変更可能である。そして、前記天板１の両板面に、天板支持要素２に支持させるための穴を一切設けずに、天板支持要素２により天板１を支持させるようにすべく、前記天板１の隅部を形成する小口面に、天板受部材４１を以下に述べる方法により止着している。すなわち、前記当接部４１ａに形成した雄ネジ挿通孔４１ｘと、前記天板１の隅部の小口面に形成した雌ねじ穴１ｘと、前記雄ネジ挿通孔４１ｘに挿通させて前記雌ねじ穴１ｘに螺着する雄ねじ部材Ｖ４とにより構成される止着部を介して、前記天板１の隅部を形成する複数の小口面に天板受部材４１を止着するようにしている。
【００２７】
前記第２結合機構５は、図６に分解斜視図を示すように、平面視Ｌ字状に屈曲するとともに天板１の隅部の側面に当接可能な起立板状の当接部５１ａと、この当接部５１ａの下端から延伸し上面に天板１を載置可能な天板受部５１ｂとを有し、前記第１結合機構４の天板受部材４１と同一の構成を有する天板受部材５１を具備する。さらに、前記天板受部５ｂに雄ネジ部材Ｖ５を挿通可能な雄ネジ挿通孔５１ｘを設けていて、この雄ネジ挿通孔５１ｘを挿通させた雄ネジ部材Ｖ５を脚３の上端の雌ネジ穴３ｘに螺着し、脚３を前記天板受部材５１に固定するようにしている。そして、前記天板１の両板面に、脚３に支持させるための穴を一切設けずに、脚３により天板１を支持させるようにすべく、前記天板１の隅部を形成する複数の小口面に、天板受部材５１を以下に述べる方法により止着している。すなわち、前記当接部５１ａに形成した雄ネジ挿通孔５１ｘと、前記天板１の小口面に形成した雌ねじ穴１ｘと、前記雄ネジ挿通孔５１ｘに挿通させて前記雌ねじ穴１ｘに螺着する雄ねじ部材Ｖ６とにより構成される止着部を介して、前記天板１の隅部を形成する複数の小口面に天板受部材５１を止着するようにしている。
【００２８】
そして、前記天板１の両板面に、天板支持要素２及び脚３に支持させるための穴を一切設けずに、この天板１の両板面のいずれが天板面となっても前記天板１の隅部を形成する複数の小口面に天板受部材４１、５１を止着できるようにすることにより、すなわち前記雌ねじ穴１ｘを厚さ方法中央に設けることにより、この天板１の両板面のいずれも天板面として使用可能に構成している。
【００２９】
しかして、このような家具Ｆを配するにあたっては、まず、単位モジュール領域Ａを必要な人数分だけ床面上に設定するようにしている。次いで、天板１、天板支持要素２、及び脚３を人数分ずつ用意し、前記単位モジュール領域Ａ内において、第１結合機構４を介して天板支持要素２に天板１の１辺部分を選択的に支持させるとともに、第２結合機構５を介して脚３に天板１の前記１辺に対向する他の１辺部分を支持させるようにしている。このような家具の配置の例について、その概略平面図を図７の（ａ）および同図の（ｂ）に示す。
【００３０】
ここで、上述したように、第１結合機構４は、天板１を天板支持要素２に支持させる際に天板支持要素２が天板１を支持する部位を変更可能にしている。具体的には、この第１結合機構４は、以下に述べる３つの態様を選択的にとり得るように天板支持要素２が天板１を支持する部位を変更可能にしている。第１の態様は、天板１の長辺を天板支持要素２に支持させてなり、単位モジュール領域Ａのフレーム２１を配した１辺に沿って天板１及び天板支持要素２を配置する上述した矩形態様である。第２の態様は、天板１の長さ寸法が大きい短辺を天板支持要素２に支持させてなり、単位モジュール領域Ａのフレーム２１を配した１辺に沿って天板支持要素２を配置するとともに前記フレーム２１を配した１辺に隣接する他の１辺に沿って天板１を配置する第１のＬ字態様である。第３の態様は、天板１の長さ寸法が小さい短辺を天板支持要素２に支持させてなり、単位モジュール領域Ａのフレーム２１を配した側の１辺に沿って天板支持要素２を配置するとともに前記フレーム２１を配した１辺に隣接する他の１辺に沿って天板１を配置する第２のＬ字態様である。ここで、第１のＬ字態様にある家具Ｆについて、その全体斜視図を図８、平面図を図９、正面図を図１０にそれぞれ示す。また、第２のＬ字態様にある家具Ｆについて、その全体斜視図を図１１、平面図を図１２、正面図を図１３にそれぞれ示す。また、図中では、矩形態様、第１のＬ字態様、第２のＬ字態様にある家具Ｆを、それぞれＦ（ａ）、Ｆ（ｂ）、及びＦ（ｃ）とそれぞれ示している。なお、前記扉２２４は、前記図９、図１０、ず１２、及び図１３では想像線により示している。
【００３１】
さらに、前記矩形態様においては、天板１の奥行き寸法が大きい領域、すなわち長さ寸法が大きい短辺側を左右どちらに配することもできるように、また、天板１を天板支持要素２の左右どちら側にも配置しても、前記第１のＬ字態様及び前記第２のＬ字態様となるように天板１を配することができるようにすべく、上述したように、天板１の両板面のいずれも天板面として使用可能に構成している。ここで、実際に前記第１のＬ字態様及び前記第２のＬ字態様となるように天板１を配する場合、まず、天板１のいずれかの短辺を天板支持要素２に支持し得る位置に天板１を配し、反使用端が前記単位モジュール領域Ａの１辺に沿う場合はそのまま天板支持要素２に支持させるとともに、使用端が前記単位モジュール領域Ａの１辺に沿う場合は天板１を反転させ、反使用端が前記単位モジュール領域Ａの１辺に沿うようにしてから天板支持要素２に支持させるようにしている。
【００３２】
そして、特に複数の作業者が互いに連絡を取り合うことが多い職種の職場においては、前記図７の領域Ｘのように、単位モジュール領域Ａを互いに隣接させて配置するとともに、天板支持要素２を長手方向に沿って複数並列して２列に背中合わせに配置し、前記矩形態様となるように天板１を配置するようにしている。なお、前記図７の領域Ｘにおいては、天板１の長さが同一の短辺を対向させて着座者の視線を合わせやすくしているが、長さが異なる短辺を対向させて着座者の視線を合わせにくくする構成も採用可能である。
【００３３】
また、特に個人の集中作業を重視する職種の職場においては、前記図７の（ａ）の領域Ｙのように、前記第１のＬ字態様となるように天板１を配置するようにしている。さらに、個人の集中作業を重視するが作業者間のコミュニケーションの円滑化も求められる職種の職場においては、前記図７の（ｂ）の領域Ｙのように、前記第２のＬ字態様となるように天板１を配置ようにしている。
【００３４】
加えて、個人の集中作業を重視するが作業者間のコミュニケーションの円滑化も求められる職種の職場においては、図１４の領域Ｚに示すように、互いに隣接する単位モジュール領域Ａそれぞれにおいて第１又は第２のＬ字態様となるように天板１を配置し２つの天板１の反使用端を互いに対向させる配置もとることができるようにしている。
【００３５】
以上に述べたように、本実施形態に係る家具Ｆの構成を採用すれば、必要な人数分だけ天板１及び天板支持要素２を用意し、天板支持要素２に天板１の一辺を選択的に支持させることにより、部材の過不足を生じることなくそれぞれの職種に好適な作業空間を人数分確保できる。
【００３６】
また、前記単位モジュール領域Ａ内に前記天板１及び前記天板支持要素２の略全体を配することができるようにしているので、上述したように前記単位モジュール領域Ａを１人ごとに確保することにより各人に必要な領域を確保できるとともに、このような家具Ｆの配置やオフィス等全体としての作業空間の配置も、オフィス等の床面に単位モジュール領域Ａを設定していくことによりより容易に行うことができる。
【００３７】
さらに、前記天板１の２つの短辺の長さを異ならせているとともに、前記天板支持要素２が前記天板１の長さ寸法が大きい短辺部分及び長さ寸法が小さい短辺部分のいずれも支持可能となるように、前記第１結合機構４を構成しているので、個人の集中作業を重視する職種の職場において、作業者間のコミュニケーションの必要度合いに応じて、前記第１のＬ字態様又は前記第２のＬ字態様を選択できる。
【００３８】
加えて、前記天板１の両板面を、天板面として使用可能にしているので、前記天板の２つの短辺の長さが異なるとともに、上述したように前記第１結合機構４が、天板１の長さ寸法が大きい短辺部分及び長さ寸法が小さい短辺部分のいずれも支持可能であることと併せて、このような天板１を前記単位モジュール領域Ａ内の左右どちらの辺に沿って配置する場合であっても、上述したように前記第１のＬ字態様又は前記第２のＬ字態様を選択できる。すなわち、オフィス内における天板１の配置の自由度を大幅に向上させることができる。なお、両板面の外観を異ならせば、外観にバラエティを備えさせることもできる。
【００３９】
また、前記天板支持要素２を、床面上に起立させる１対の支柱２１１、２１１及び前記支柱２１１、２１１の上端部間を接続し前記天板１を支持する上横架材２１２を有し、幅寸法が前記１モジュールｍであるフレーム２１を具備するものにしているので、床面に設定した単位モジュール領域Ａの１辺に沿ってこのフレーム２１を配置することにより、このような家具Ｆの位置決めを行うことができる。
【００４０】
さらに、前記天板支持要素２に、前記フレーム２１の前方に取り付けられ物品を収納可能な物品収納空間２ｓを有し幅寸法が前記１モジュールｍである物品収納体２２を具備させているので、このような家具Ｆに物品収納機能を備えさせてさらに有効に利用することができる。
【００４１】
加えて、前記物品収納体２２を、２分の１モジュール１／２ｍの幅寸法を有しそれぞれ略同一の基本構造を有する半モジュール構造体２２ｈを長手方向に２つ並列させて構成しているので、天板１を前記単位モジュール領域Ａにおける左右いずれの辺に沿って配置した場合であっても、他方の辺側の半モジュール構造体２２ｈが上方に開放され、このような物品収納体２２を同様に利用できる。
【００４２】
そして、前記物品収納体２２に、前記半モジュール構造体２２ｈのうちいずれか一方の前記物品収納空間２ｓの上方及び前方を選択的に閉塞可能な扉２２４を設けているので、前記天板支持要素２が天板１の短辺を支持している、すなわち前記第１のＬ字態様又は前記第２のＬ字態様を選択している際に、通常は前記扉２２４を天板１を配置した側に位置させておくことで、前記物品収納空間２ｓに収納する物品を、使用頻度の高い物品は天板１を配置しなかった側の前記半モジュール構造体２２ｈの物品収納空間２ｓ、使用頻度の低い物品は天板１を配置した側の前記半モジュール構造体２２ｈの物品収納空間２ｓに収納する等、使用頻度に応じた物品収納空間２ｓの使い分けを容易に行うことができる。また、外部から物品収納空間２ｓの内部を隠蔽すべく、前記物品収納体２２に扉２２４を２枚配し、２枚の扉を引き違いにする構成を採用してもよい。
【００４３】
なお、本発明は以上に述べた実施形態に限られない。
【００４４】
例えば、天板を完全に矩形状をなすものにしても、少なくとも単位モジュール領域の１辺に沿って天板支持要素及び該天板支持要素に長辺部分を支持させた天板を配する態様と、単位モジュール領域の１辺に沿って天板支持要素を配するとともに前記１辺に隣接する他の１辺に沿って該天板支持要素に短辺部分を支持させた天板を配する態様とを選択的にとり得るようにできる。
【００４５】
また、例えば天板支持要素として対をなして設けた支柱たるＬ字脚ないしＴ字脚と、Ｌ字脚ないしＴ字脚の上端部間を支持する横架材とを具備するフレームのみを具備するとともに、このフレームの前方に、このフレームとは別個にワゴンを配置する構成を採用しても、単位モジュール領域内に天板、フレーム、及びワゴンの略全体を配置するようにすれば、人数分の単位モジュール領域、天板、フレーム、及びワゴンを用意することにより各個人の作業空間及び個人用収納スペースを過不足なく確保できる。
【００４６】
さらに、自立可能であり物品を収納可能な物品収納空間を有し幅寸法が前記１モジュールである物品収納体を利用して天板支持要素を形成する構成を採用しても、人数分の単位モジュール領域、天板、及び物品収納体を用意することにより各個人の作業空間及び個人用収納スペースを過不足なく確保できる。
【００４７】
加えて、脚を省略し、天板支持要素のみにより天板を支持する態様を採用してもよい。
【００４８】
また、オプション部材としては、上述した実施形態において挙げたパネル９以外に、種々のものを取り付けるようにしてもよい。例えば、家具Ｆを前記第１又は第２のＬ字態様にした場合に好適なオプション部材として、図１５に示すような天板１の反使用端縁に着脱可能に取り付けるスクリーン８が挙げられる。このスクリーン８は、左右に対をなして設けている支柱８２、８２にスクリーン本体８１の左右両端を支持させて構成している。そして、このスクリーン８は、天板の反使用端縁の左右両端部取り付けてなるスクリーン取付具８３、８３に前記支柱８２、８２を支持させることにより天板１の反使用端縁に取り付けるようにしている。このようなスクリーン８を天板１の反使用端縁に取り付けることにより、正面からの視線を遮り、より集中して作業を行うことができる。さらに、このスクリーン８のスクリーン本体８１は、側面視上方に向かって使用端側に寄る円弧状をなすので、正面上方からの視線も遮ることができ、さらに集中して作業を行うことができる。
【００４９】
そして、図１６に示すような家具ＦＦのように、天板の長手寸法より長尺な天板支持要素２０を用意し、この天板支持要素２０に天板１の少なくとも一辺部分を選択的に支持させる態様を採用してもよい。この態様では、前記図１６に示すように、天板支持要素２０に複数の天板１を支持可能にしている。また、この天板１は、両板面を、天板面として使用可能にしていて、天板１の短辺を天板支持要素２０に支持させる場合には、前記図１６の３つの天板１のうち左側のもの及び中央のもののように、左右どちら側にも使用端を設定でき、天板１の長辺を天板支持要素２０に支持させる場合には、左右どちら側にも奥行き寸法の大きい側を配置できる。なお、天板１の天板支持要素２０に支持させる一辺と対向する一辺部分は、前記図１６の３つの天板１のうち右側のものに示すように上述した実施形態と同様の脚３に支持させるようにしてもよく、また、前記３つの天板１のうち左側及び中央のものに示すように、上述した実施形態と同様の脚３と異なる形状の脚３０や脚３００に支持させるようにしてもよい。ここで、脚３０及び脚３００は、１短辺の長さ寸法全域及びこの短辺に隣接する２つの辺の端部の小口面に当接する当接部５０１ａを有する天板受部材５０１を利用した第３接続機構を介して天板１に取り付けるようにしている。そして、天板１を天板支持要素２０のみに支持させるようにしてもよい。
【００５０】
その他、本明細書に例示した実施形態にとらわれず、天板の材質や形状、また天板受部の形状を変更する等、本発明の趣旨を損ねない範囲で種々に変形してよい。
【図面の簡単な説明】
【００５１】
【図１】本発明の一実施形態に係る家具の矩形態様を示す全体斜視図。
【図２】同実施形態における家具の矩形態様を示す平面図。
【図３】同実施形態における家具の矩形態様を示す正面図。
【図４】同実施形態における家具を示す分解斜視図。
【図５】同実施形態における家具の天板と天板支持要素との接続態様を示す分解斜視図。
【図６】同実施形態における家具の天板と脚との接続態様を示す分解斜視図。
【図７】同実施形態における家具の配置の例を示す概略平面図。
【図８】同実施形態における家具の第１のＬ字態様を示す全体斜視図。
【図９】同実施形態における家具の第１のＬ字態様を示す平面図。
【図１０】同実施形態における家具の第１のＬ字態様を示す正面図。
【図１１】同実施形態における家具の第２のＬ字態様を示す全体斜視図。
【図１２】同実施形態における家具の第２のＬ字態様を示す平面図。
【図１３】同実施形態における家具の第２のＬ字態様を示す正面図。
【図１４】同実施形態における家具の配置の他の例を示す概略平面図。
【図１５】本発明の他の実施形態における家具を示す全体斜視図。
【図１６】本発明の他の実施形態における家具を示す全体斜視図。
【符号の説明】
【００５２】
Ｆ、ＦＦ…家具
１…天板
２、２０…天板支持要素
２１…フレーム
２１１…支柱
２１２…上横架材
２２…物品収納体
２２ｈ…半モジュール構造体
２２４…扉
３、３０、３００…脚
４…第１結合機構
Ａ…単位モジュール領域
【図１】
2006204771.tif 000003
【図２】
2006204771.tif 000004
【図３】
2006204771.tif 000005
【図４】
2006204771.tif 000006
【図５】
2006204771.tif 000007
【図６】
2006204771.tif 000008
【図７】
2006204771.tif 000009
【図８】
2006204771.tif 000010
【図９】
2006204771.tif 000011
【図１０】
2006204771.tif 000012
【図１１】
2006204771.tif 000013
【図１２】
2006204771.tif 000014
【図１３】
2006204771.tif 000015
【図１４】
2006204771.tif 000016
【図１５】
2006204771.tif 000017
【図１６】
2006204771.tif 000018